(57)【特許請求の範囲】
【請求項１】
所定のセル又はセクタを形成し、前記所定のセル又はセクタに対応する無線リソースを複数の無線端末に割り当てる無線基地局であって、
前記無線端末毎に、前記無線端末との間の無線状態によって定まる、確保すべき連続する無線リソースの数を取得する連続無線リソース数取得部と、
前記無線リソースを割り当てる前において、前記複数の無線端末の全てに対して、対応する前記確保すべき連続する無線リソースの数の大きい順に無線リソースの割り当て順位を設定する割り当て順位設定部と、
前記割り当て順位に従って、割り当て対象の所定の無線端末に対して、前記無線リソースを割り当てる割当部と
を備える無線基地局。
【請求項２】
前記割当部は、前記割り当て対象の所定の無線端末について予め定められた無線リソースの探索領域のうち、全ての無線リソースが未使用である探索領域内の前記無線リソースを前記所定の無線端末に割り当てる請求項１に記載の無線基地局。
【請求項３】
前記無線リソースは、制御情報の伝送に用いられる請求項１又は２に記載の無線基地局。
【請求項４】
所定のセル又はセクタを形成し、前記所定のセル又はセクタに対応する無線リソースを複数の無線端末に割り当てる無線基地局における通信制御方法であって、
前記無線基地局が、前記無線端末毎に、前記無線端末との間の無線状態によって定まる、確保すべき連続する無線リソースの数を取得するステップと、
前記無線リソースを割り当てる前において、前記無線基地局が、前記複数の無線端末の全てに対して、対応する前記確保すべき連続する無線リソースの数の大きい順に無線リソースの割り当て順位を設定するステップと、
前記無線基地局が、前記割り当て順位に従って、割り当て対象の所定の無線端末に対して、前記無線リソースを割り当てるステップと
を備える通信制御方法。
【発明の詳細な説明】
【技術分野】
【０００１】
本発明は、所定のセル又はセクタを形成し、前記所定のセル又はセクタに対応する無線リソースを複数の無線端末に割り当てる無線基地局、及び、当該無線基地局における通信制御方法に関する。
【背景技術】
【０００２】
近年、移動通信サービスのブロードバンド化に伴い、更なる高速化及び大容量化が求められている。このため、Ｗ−ＣＤＭＡ（Wideband Code Division Multiple Access）に代表される第３世代移動通信システムや３．５世代移動通信システムに代わる次世代移動通信システムが世界的に実用化されようとしている。日本国内においても第４世代移動通信システムにつながる移動通信システムとして位置づけられた３．９世代移動通信システムへの周波数割り当てが開始されている。この３．９世代移動通信システムの中でも、ＬＴＥ（Long Term Evolution）は、第４世代移動通信システムにつながる標準規格として、最も有力視されている。
【０００３】
ＬＴＥでは、無線基地局から無線端末に向かう下り方向の通信には、ＯＦＤＭＡ（Orthogonal Frequency Division Multiplexing Access）が採用され、無線端末から無線基地局に向かう上り方向の通信には、ＳＣ−ＦＤＭＡ（Single Carrier Frequency Division Multiple Access）が採用されている。これらの多重化方式は、周波数と時間の２次元で無線リソースの配置を行ってユーザ多重を実現している。
【０００４】
下り方向の無線リソースである周波数帯域は、リソースブロック（ＲＢ：Resource Block）と称される単位に分割されている。このＲＢは、下り方向の制御情報伝送用の無線チャネルとしてのタイムスロットである制御情報チャネル（ＰＤＣＣＨ：Physical Downlink Control CHannel）と、下り方向のユーザデータ伝送用の無線チャネルとしてのタイムスロットである共有データチャネル（ＰＤＳＣＨ：Physical Downlink Shared CHannel）とにより構成される。
【０００５】
ＬＴＥでは、制御情報伝送用のＰＤＣＣＨは、無線端末毎に、当該無線端末に対する無線リソースであるＣＣＥ（Control Channel Element）の割り当てに際して、確保すべき連続するＣＣＥの数を示すＡｇｇｒｅｇａｔｉｏｎ  Ｌｅｖｅｌ（ＡＬ）を設定することによって、当該無線端末と無線基地局との間の無線状態に応じた割り当て制御が可能となっている。
【０００６】
この場合、無線端末に向けた制御情報の伝送のためのＣＣＥの割当位置については、無線端末毎に、予め、ある程度の割当位置がサーチスペース（Search Space）として制限されている。
【０００７】
このサーチスペースは、無線端末が有する固有の情報であるＲＮＴＩ（Radio Network Temporary Id）、サブフレーム数、当該無線端末に対応するＡＬに基づいて、可能な限り無線端末間で異なるように設定される（例えば、非特許文献１及び２参照）。
【先行技術文献】
【非特許文献】
【０００８】
【非特許文献１】3GPP TS 36.213 V8.7.0 ”Technical Specification Group Radio Access Network;Evolved Universal Terrestrial Radio Access (E-UTRA);Physical layer procedures (Release 8) ”
【非特許文献２】3GPP TS 36.211 V8.7.0 ”Technical Specification Group Radio Access Network;Evolved Universal Terrestrial Radio Access (E-UTRA);Physical Channels and Modulation (Release 8) ”
【発明の概要】
【発明が解決しようとする課題】
【０００９】
無線基地局は、所定の基準に基づいて、ＣＣＥを各無線端末に割り当て、その割当結果を、制御情報によって各無線端末へ通知する。この際、無線端末に対応するＡＬによって定まるサーチスペース内の連続するＣＣＥが既に他の無線端末に割り当て済みである場合には、無線基地局は、意図した通りの割り当てを断念せざるを得なくなり、結果として無線リソースの利用効率が低下してしまうことがある。
【００１０】
特に、無線基地局との間の無線状況が悪い無線端末に対応するＡＬが大きくなる場合が多い。しかしながら、このような無線端末ほど、ＡＬに対応する連続するＣＣＥを確保しにくくなり、その結果、無線端末に対応する無線状況がより劣化してしまう。
【００１１】
そこで、本発明は、効率の良い無線リソースの割り当てが可能な無線基地局及び通信制御方法を提供することを目的とする。
【課題を解決するための手段】
【００１２】
上述した課題を解決するために、本発明は以下のような特徴を有している。まず、本発明の第１の特徴は、所定のセル又はセクタを形成し、前記所定のセル又はセクタに対応する無線リソースを複数の無線端末（無線端末２Ａ、２Ｂ）に割り当てる無線基地局（無線基地局１）であって、前記無線端末毎に、前記無線端末との間の無線状態によって定まる、確保すべき連続する無線リソースの数を取得する連続無線リソース数取得部（ＡＬ取得部１６０）と、前記複数の無線端末に対して、対応する前記確保すべき連続する無線リソースの数の大きい順に無線リソースの割り当て順位を設定する割り当て順位設定部（割当順位設定部１６２）と、前記割り当て順位に従って、割り当て対象の所定の無線端末に対して、前記無線リソースを割り当てる割当部（ＣＣＥ割当部１６６）とを備えることを要旨とする。
【００１３】
確保すべき連続する無線リソースの数の大きい無線端末ほど、無線リソースは割り当てにくくなる。従って、複数の無線端末に対して、確保すべき連続する無線リソースの数の大きい順に無線リソースの割当順位を設定し、当該割当順位に従って、無線リソースを割り当てるようにすることで、確保すべき連続する無線リソースの数の大きい無線端末に対する無線リソースの割り当ての可能性を向上させ、その結果、無線リソースを確保しにくくなることが防止され、効率の良い無線リソースの割り当てが可能となる。
【００１４】
本発明の第２の特徴は、前記割当部は、前記割り当て対象の所定の無線端末について予め定められた無線リソースの探索領域のうち、全ての無線リソースが未使用である探索領域内の前記無線リソースを前記所定の無線端末に割り当てることを要旨とする。
【００１５】
本発明の第３の特徴は、前記無線リソースは、制御情報の伝送に用いられることを要旨とする。
【００１６】
本発明の第４の特徴は、所定のセル又はセクタを形成し、前記所定のセル又はセクタに対応する無線リソースを複数の無線端末に割り当てる無線基地局における通信制御方法であって、前記無線基地局が、前記無線端末毎に、前記無線端末との間の無線状態によって定まる、確保すべき連続する無線リソースの数を取得するステップと、前記無線基地局が、前記複数の無線端末に対して、対応する前記確保すべき連続する無線リソースの数の大きい順に無線リソースの割り当て順位を設定するステップと、前記無線基地局が、前記割り当て順位に従って、割り当て対象の所定の無線端末に対して、前記無線リソースを割り当てるステップとを備えることを要旨とする。
【発明の効果】
【００１７】
本発明によれば、効率の良い無線リソースの割り当てが可能となる。
【図面の簡単な説明】
【００１８】
【図１】本発明の実施形態に係る無線通信システムの全体概略構成図である。
【図２】本発明の実施形態に係る無線基地局の構成図である。
【図３】本発明の実施形態に係るＣＣＥの割り当ての一例を示す図である。
【図４】本発明の実施形態に係る無線基地局におけるＣＣＥ割り当ての動作を示すフローチャートである。
【発明を実施するための形態】
【００１９】
次に、図面を参照して、本発明の実施形態を説明する。具体的には、（１）無線通信システムの構成、（２）無線基地局の動作、（３）作用・効果、（４）その他の実施形態について説明する。以下の実施形態における図面の記載において、同一又は類似の部分には同一又は類似の符号を付している。
【００２０】
（１）無線通信システムの構成
（１．１）無線通信システムの全体概略構成
図１は、本発明の実施形態に係る無線通信システム１０の全体概略構成図である。
【００２１】
図１に示す無線通信システム１０は、３ＧＰＰで策定された規格であるＬＴＥ（Long Term Evolution）に基づく構成を有する。無線通信システム１０は、無線基地局１と、無線端末２Ａ及び２Ｂとを含む。
【００２２】
図１において、セル３は、複数のセクタ（図示せず）に分割されている。図１では、無線端末２Ａ及び２Ｂは、１つのセクタ（所定のセクタ）内に存在する。無線基地局１は、セル３内に存在する無線端末２Ａ及び２Ｂとの間で通信を行う。
【００２３】
（１．２）無線基地局の構成
図２は、無線基地局１Ａの構成を示す図である。図２に示す無線基地局１Ａは、制御部１０２、記憶部１０３、有線通信部１０４、無線通信部１０５及びアンテナ１０７を含む。
【００２４】
制御部１０２は、例えばＣＰＵによって構成され、無線基地局１Ａが具備する各種機能を制御する。記憶部１０３は、例えばメモリによって構成され、無線基地局１における制御などに用いられる各種情報を記憶する。有線通信部１０４は、図示しないルータ等を介して図示しないバックボーンネットワークに接続される。無線通信部１０５は、アンテナ１０７を介して、無線端末２Ａ及び２Ｂからの無線信号を受信するとともに、無線端末２Ａ及び２Ｂに対して無線信号を送信する。
【００２５】
次に、制御部１０２の具体的な制御について説明する。制御部１０２は、無線基地局１によって形成されるセル３を構成する１つのセクタ内の無線端末である、無線端末２Ａ及び２Ｂが要求するチャネル品質に応じて、当該無線端末２Ａ及び２Ｂに対して、下り方向の無線リソースであるリソースブロック（ＲＢ）を構成するＣＣＥ（Control Channel Element）を割り当てる。
【００２６】
ＲＢは、２種類の無線チャネル、具体的には、制御情報チャネル（ＰＤＣＣＨ）と、共有データチャネル（ＰＤＳＣＨ）とにより構成される。ＰＤＣＣＨの領域は、ＲＢの先頭から最大３つのＯＦＤＭシンボルであり、複数のＣＣＥからなる。ＰＤＳＣＨの領域は、ＰＤＣＣＨに続くＯＦＤＭシンボルである。
【００２７】
所定のセクタ内の無線端末が要求するチャネル品質は異なっている。制御部１０２は、各無線端末が要求するチャネル品質に応じて、当該無線端末に対して割り当て対象となるＣＣＥの数を設定し、割り当てる。
【００２８】
また、制御部１０２は、所定のセクタ内の無線端末が要求するチャネル品質に応じて、変調方式、符号化率、再送回数、ＭＩＭＯ（Multiple-Input Multiple-Output）等の通信方式を設定する。
【００２９】
ＰＤＣＣＨには、ＰＤＳＣＨに含まれるユーザデータを受信するために必要な様々な情報が含まれる。このため、無線端末は、ＰＤＣＣＨ内の情報を受信することができない場合には、ＰＤＳＣＨ内のユーザデータを受信することができない。したがって、ＰＤＣＣＨは、非常に重要な無線チャネルである。
【００３０】
ＰＤＣＣＨ内のＣＣＥの割り当てに際して、確保すべき連続するＣＣＥの数は、Ａｇｇｒｅｇａｔｉｏｎ  Ｌｅｖｅｌ（ＡＬ）と称される。
【００３１】
制御部１０２が、所定のセクタ内の無線端末毎に、ＰＤＣＣＨの品質がＡＬに対応するＳＩＮＲ（Signal to Interference and Noise Ratio）を満足するように、当該ＡＬを決定することにより、繰り返しによる符号化率の調節が実現され、特性を改善させることができる。
【００３２】
図２に示すように、制御部１０２は、ＡＬ取得部１６０、割当順位設定部１６２、サーチスペース算出部１６４及びＣＣＥ割当部１６６を含む。
【００３３】
ＡＬ取得部１６０は、所定のセクタ内の無線端末毎に、当該無線端末に対応するＰＤＣＣＨの品質（ＳＩＮＲ）を推定する。
【００３４】
例えば、所定のセクタ内の無線端末は、下り方向の所定の無線リソースに含まれるＰＤＳＣＨの平均の品質に対応するＷ−ＣＱＩを測定する。更に、所定のセクタ内の無線端末は、測定したＷ−ＣＱＩを、無線基地局１に向けて送信する。無線基地局１の制御部１０２内のＡＬ取得部１６０は、無線端末からのＷ−ＣＱＩを、アンテナ１０７及び無線通信部１０５を介して受信する。次に、ＡＬ取得部１６０は、受信した無線端末からのＷ−ＣＱＩをＳＩＮＲに変換し、当該ＳＩＮＲを、無線端末に対応するＰＤＣＣＨのＳＩＮＲとする。なお、ＡＬ取得部１６０は、他の手法によって無線端末に対応するＰＤＣＣＨのＳＩＮＲを推定するようにしてもよい。
【００３５】
このようにして、所定のセクタ内の無線端末毎に、当該無線端末に対応するＰＤＣＣＨのＳＩＮＲが推定された後、ＡＬ取得部１６０は、ＰＤＣＣＨのＳＩＮＲが良好であるほど、ＡＬが少なくなるように、所定のセクタ内の無線端末毎にＡＬを決定する。更に、ＡＬ取得部１６０は、決定したＡＬを、当該ＡＬに対応する無線端末の識別情報と対応付ける。無線端末の識別情報は、例えば、当該無線端末からの無線信号に含まれる。
【００３６】
割当順位設定部１６２は、所定のセクタ内の無線端末に対して、当該無線端末に対応するＡＬの大きい順に、ＣＣＥの割り当て順位を設定する。割当順位の情報は、対応する無線端末の識別情報に対応付けられて記憶部１０３に記憶される。なお、ＡＬが同一の複数の無線端末が存在する場合には、割当順位設定部１６２は、当該ＡＬが同一の複数の無線端末に対して、異なる割り当て順位を設定する。
【００３７】
サーチスペース算出部１６４は、所定のセクタ内の無線端末毎に、サーチスペースを算出する。
【００３８】
具体的には、サーチスペース算出部１６４は、所定のセクタ内の無線端末のＲＮＴＩ、サブフレーム数、総ＣＣＥ数を取得する。無線端末のＲＮＴＩは、当該無線端末からの無線信号に含まれる。また、サブフレーム数及び総ＣＣＥ数は、例えば、予め記憶部１０３に記憶されている。
【００３９】
次に、サーチスペース算出部１６４は、所定のセクタ内の無線端末毎に、当該無線端末のＲＮＴＩ、サブフレーム数、総ＣＣＥ数を用いて生成される疑似ランダム系列に対応するサーチスペースを算出する。図１の場合には、無線端末２Ａ及び２Ｂ毎にサーチスペースが算出されることになる。
【００４０】
例えば、ＡＬが８、総ＣＣＥが３９である場合、サーチスペースは、ＣＣＥ０〜ＣＣＥ７、ＣＣＥ８〜ＣＣＥ１５、ＣＣＥ１６〜ＣＣＥ２３、ＣＣＥ２４〜ＣＣＥ３１となる。
【００４１】
ＣＣＥ割当部１６６は、所定のセクタ内の無線端末毎に、ＣＣＥを割り当てる。
【００４２】
具体的には、ＣＣＥ割当部１６６は、所定のセクタ内の無線端末であって、且つ、ＣＣＥが未割り当ての無線端末のうち、ＣＣＥの割り当て順位が最も高い無線端末（自無線端末）を選択する。
【００４３】
次に、ＣＣＥ割当部１６６は、自無線端末に対応するサーチスペース（自サーチスペース）のうち、ＣＣＥが全て未使用である自サーチスペースが存在するか否かを判定する。
【００４４】
ＣＣＥが全て未使用である自サーチスペースが存在する場合、ＣＣＥ割当部１６６は、ＣＣＥが全て未使用である自サーチスペース内のＣＣＥを自無線端末に割り当てる。
【００４５】
図３は、ＣＣＥ割り当ての一例を示す図である。図３は、ＡＬが１の無線端末とＡＬが８の無線端末とが存在する場合のＣＣＥ割り当ての例である。
【００４６】
図３の例では、ＣＣＥ割当部１６６は、まず、ＣＣＥの割り当て順位の高いＡＬが８の無線端末に対してＣＣＥを割り当てる。ここで、ＣＣＥ０〜ＣＣＥ７、ＣＣＥ８〜ＣＣＥ１５、ＣＣＥ１６〜ＣＣＥ２３、ＣＣＥ２４〜ＣＣＥ３１の各サーチスペースのうち、ＣＣＥ０〜ＣＣＥ７のサーチスペースにおいて、ＣＣＥ３が既に使用されている。このため、ＣＣＥ割当部１６６は、ＣＣＥが全て未使用であるＣＣＥ８〜ＣＣＥ１５、ＣＣＥ１６〜ＣＣＥ２３、ＣＣＥ２４〜ＣＣＥ３１の各サーチスペースの何れかにおけるＣＣＥ（ここではＣＣＥ２４〜ＣＣＥ３１のサーチスペース内の８つのＣＣＥ）を、ＡＬが８の無線端末に割り当てる。
【００４７】
次に、ＣＣＥ割当部１６６は、ＣＣＥの割り当て順位の低いＡＬが１の無線端末に対してＣＣＥを割り当てる。ここで、ＣＣＥ０〜ＣＣＥ３８のそれぞれ１つのＣＣＥによって構成されるサーチスペースのうち、ＣＣＥ３、ＣＣＥ２４〜ＣＣＥ３１のそれぞれ１つのＣＣＥによって構成されるサーチスペースにおいて、ＣＣＥが既に使用されている。このため、ＣＣＥ割当部１６６は、ＣＣＥが全て未使用であるＣＣＥ０〜ＣＣＥ２、ＣＣＥ４〜ＣＣＥ２３、ＣＣＥ３２〜ＣＣＥ３８のそれぞれ１つのＣＣＥによって構成されるサーチスペースの何れかにおけるＣＣＥを、ＡＬが１の無線端末に割り当てる。
【００４８】
その後、制御部１０２は、ＣＣＥ割当部１６６によって割り当てられたＣＣＥの情報、例えば、ＣＣＥを一意に特定可能な情報を、無線通信部１０５及びアンテナ１０７を介して、所定のセクタ内の無線端末である無線端末２Ａ及び２Ｂへ送信する。
【００４９】
その後、制御部１０２は、無線端末２Ａ及び２Ｂに割り当てたＣＣＥを用いて、ＰＤＳＣＨの割り当て情報、上り方向の共有データチャネル（ＰＵＳＣＨ：Physical Uplink Shared CHannel）の割り当て情報、及び、送信電力制御のコマンドを含んだ制御情報を、無線通信部１０５及びアンテナ１０７を介して無線端末２Ａ及び２Ｂへ送信する。
【００５０】
無線端末２Ａ及び２Ｂは、ＰＤＣＣＨを用いて送信される制御情報を正常に受信した場合、制御情報に基づく各種の制御を行う。具体的には、無線端末２Ａ及び２Ｂは、割り当てられたＰＤＳＣＨを用いて伝送されるユーザデータを受信し、割り当てられたＰＵＳＣＨを用いてユーザデータを送信する。また、無線端末２Ａ及び２Ｂは、送信電力制御のコマンドに従って、送信電力を制御する。その後、無線端末２Ａ及び２Ｂは、ＰＤＳＣＨを用いて送信されるユーザデータを受信すると、無線基地局１Ａに対して応答としてのＡＣＫ又はＮＡＣＫを、ＰＵＳＣＨを用いて送信する。
【００５１】
（２）無線基地局の動作
図５は、無線基地局１における第１のＣＣＥ割り当ての動作を示すフローチャートである。なお、初期状態において、所定のセクタ内の全ての無線端末は、ＣＣＥが未割り当てであるものとする。
【００５２】
ステップＳ１０１において、制御部１０２は、ＣＣＥの割り当て対象の全ての無線端末について、ＡＬが取得済みであるか否かを判定する。
【００５３】
ＣＣＥの割り当て対象の全ての無線端末についてＡＬ取得済みでない場合、制御部１０２は、ＡＬが取得済みでない無線端末について、ＡＬを取得する。
【００５４】
一方、ＣＣＥの割り当て対象の全ての無線端末について、ＡＬが取得済みである場合、ステップＳ１０３において、制御部１０２は、ＣＣＥの割り当て対象の全ての無線端末に対して、当該無線端末に対応するＡＬの大きい順に、ＣＣＥの割り当て順位を設定する。
【００５５】
ステップＳ１０４において、制御部１０２は、ＣＣＥの割り当て対象の全ての無線端末に対するＣＣＥの割り当てが終了したか否かを判定する。なお、後述するステップＳ１０７において、否定判断がなされた結果、ＣＣＥが割り当てられなかった無線端末は、ステップＳ１０４においては、ＣＣＥが割り当て済みであるものとして扱われる。
【００５６】
ＣＣＥの割り当て対象の全ての無線端末に対するＣＣＥの割り当てが終了した場合には、一連の動作が終了する。
【００５７】
一方、ＣＣＥの割り当て対象の全ての無線端末に対するＣＣＥの割り当てが終了していない場合には、ステップＳ１０５において、制御部１０２は、ＣＣＥが未割り当ての無線端末のうち、対応するＣＣＥの割り当て順位が最も高い無線端末（自無線端末）を選択する。
【００５８】
ステップＳ１０６において、制御部１０２は、自無線端末に対応するＡＬ（自ＡＬ）と、自無線端末のＲＮＴＩと、サブフレーム数とに基づいて、自無線端末に対応するサーチスペース（自サーチスペース）を算出する。
【００５９】
ステップＳ１０７において、制御部１０２は、算出した自サーチスペースのうち、ＣＣＥが全て未使用である自サーチスペースが存在するか否かを判定する。ＣＣＥが全て未使用である自サーチスペースが存在しない場合には、自無線端末にはＣＣＥは割り当てられない。この場合には、ステップＳ１０４以降の動作が繰り返される。
【００６０】
一方、ＣＣＥが全て未使用である自サーチスペースが存在する場合には、ステップＳ１０８において、制御部１０２は、当該ＣＣＥが全て未使用である自サーチスペース内のＣＣＥを自無線端末に割り当てる。その後は、ステップＳ１０５以降の動作が繰り返される。
【００６１】
（３）作用・効果
本実施形態では、無線基地局１は、所定のセクタ内の複数の無線端末に無線リソースとしてのＣＣＥを割り当てるに際して、所定のセクタ内の無線端末毎のＡＬを取得するとともに、無線端末に対して、対応するＡＬの大きい順に、ＣＣＥの割り当て順位を設定する。更に、無線基地局１は、設定した割り当て順位に従って、割り当て対象の所定の無線端末に対して、ＣＣＥを割り当てる。
【００６２】
ＡＬが大きい無線端末ほど、換言すれば、確保が必要な連続する未使用のＣＣＥの数が多いほど、当該無線端末へＣＣＥを割り当てにくくなる。従って、無線基地局１が、複数の無線端末に対して、ＡＬの大きい順にＣＣＥの割り当て順位を設定し、当該割り当て順位に従って、無線リソースを割り当てるようにすることで、ＡＬの大きい無線端末に対するＣＣＥの割り当ての可能性を向上させ、その結果、無線リソースを確保しにくくなることが防止され、効率の良い無線リソースの割り当てが可能となる。
【００６３】
（４）その他の実施形態
本発明は実施形態によって記載したが、この開示の一部をなす論述及び図面はこの発明を限定するものであると理解すべきではない。この開示から当業者には様々な代替実施形態、実施例及び運用技術が明らかとなる。
【００６４】
上述した実施形態では、サーチスペースが設定される場合について説明したが、設定されない場合にも、同様に本発明を適用することができる。この場合には、無線基地局１の制御部１０２内のＣＣＥ割当部１６６は、無線端末に対してＣＣＥを割り当てる際には、未使用のＣＣＥを割り当てればよい。
【００６５】
また、上述した実施形態では、所定のセクタ内の無線端末に対してＣＣＥを割り当てる場合について説明したが、セルがセクタに分割されていない場合には、セル内の無線端末に対してＣＣＥを割り当てる際にも、同様に本発明を適用することができる。
【００６６】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００６７】
本発明の無線基地局及び通信制御方法は、効率の良い無線リソースの割り当てが可能であり、無線基地局及び通信制御方法として有用である。
【符号の説明】
【００６８】
１…無線基地局、２Ａ、２Ｂ…無線端末、３…セル、１０２…制御部、１０３…記憶部、１０４…有線通信部、１０５…受信部、１０６…送信部、１０７…アンテナ、１６０…ＡＬ取得部、１６２…割当順位設定部、１６４…サーチスペース算出部、１６６…ＣＣＥ割当部
【図１】
0005442369.tif 000002
【図２】
0005442369.tif 000003
【図３】
0005442369.tif 000004
【図４】
0005442369.tif 000005